(57)【要約】      （修正有）【課題】防水パンの外周縁と建物の内装壁面・巾木との間隙に埃溜まりを形成しない防水パンを提供する。【解決手段】巾木３を備える壁面２に隣接設置される防水パンの外周縁に、巾木３を被う突出部３６を設ける。突出部３６は、防水パンの設置場所に応じて、１ないし３側面に設けられる。好ましくは、防水パンの外周縁の突出部３６は壁面２に接し、外周縁の外壁部の端部３７は巾木３と接し、かつ、突出部３６の下面は巾木３の上面と接するよう構成される。【選択図】図５
2015031110.tif 000002
【特許請求の範囲】
【請求項１】
その下部に巾木を備える壁面に隣接して設置する防水パンであって、当該防水パンの外周縁に当該巾木を被う突出部が設けられていることを特徴とする防水パン。
【請求項２】
前記外周縁の突出部が壁面に接することを特徴とする請求項１記載の防水パン。
【請求項３】
前記外周縁の突出部が壁面に接し、かつ、外周縁の外壁部端部が巾木と接することを特徴とする請求項１記載の防水パン。
【請求項４】
前記外周縁の突出部が壁面に接し、外周縁の外壁部端部が巾木と接し、かつ、突出部の下面が巾木の上面と接することを特徴とする請求項１記載の防水パン。
【請求項５】
前記外周縁の外壁部が垂直に立ち上がっていることを特徴とする請求項１ないし４に記載の防水パン。
【請求項６】
前記突出部が外周縁の１辺に設けられていることを特徴とする請求項１ないし５に記載の防水パン。
【請求項７】
前記突出部が外周縁の２辺に設けられていることを特徴とする、請求項１ないし５に記載の防水パン。
【請求項８】
前記突出部が外周縁の３辺に設けられていることを特徴とする請求項１ないし５に記載の防水パン。
【発明の詳細な説明】
【技術分野】
【０００１】
本発明は、防水パン、特に洗濯機用の防水パンに関するものである。
【背景技術】
【０００２】
防水パンは、水漏れ防止等のため、集合住宅や一般家屋などの洗濯室、洗面所、台所、ベランダなどの床面に設置して使用されている。
【０００３】
防水パンは、設置建物の内装壁面に隣接して設置されることが多い。しかしながら、多くの場合、防水パンの設置壁面の下部には巾木（立ち上げ縁取り部）が存在し、その上面は防水パンの外周縁の上面より相対的に低い位置にある。
また、防水パンの外周縁は、一般に、ある一定の角度を有しており、巾木と防水パン間に間隙が生じる。
このため、防水パンと巾木や建物の内装壁面との間に埃溜まりが形成され、埃が蓄積される。
【０００４】
図９は、従来の防水パンにおいて形成される埃溜まりの説明図である。
同図において、１は防水パン本体、２は防水パンの設置場所に隣接する内装壁面、３は壁面の下部に設けられた巾木である。このような従来の防水パンでは、図示のとおり、埃溜まりＳが形成される。
この埃溜まりを閉止するため、充填剤等を用いてシーリング処理が施されることもある。
【０００５】
文献１では、幅木を有する壁面に隣接して設置された防水パンとその外周縁と間に生じる間隙を、防水パンとは別部材である目地材（縁取り片と、当該縁取り片を固定するための差し込みレール等の組み合わせ）を使用して閉止することにより埃の蓄積を防止するとともに、意匠性の向上が図られている。
【先行技術文献】
【特許文献】
【０００６】
【特許文献１】実用新案登録第３１０７２７３号公報
【発明の概要】
【発明が解決しようとする課題】
【０００７】
文献１に記載のものは、埃の蓄積防止に有効であって意匠性にも優れるが、防水パンとは別部材である目地材を別途調製・準備することが必要であり、かつ、その取り付けに時間と技能を要する問題がある。
【課題を解決するための手段】
【０００８】
本発明は、上記のような問題点に鑑みてなされたものであり、防水パンそれ自体を、幅木を被う形状とすることにより、埃溜まりを形成しない防水パンを提供することを目的とする。
【０００９】
本件請求項１に係る発明は、その下部に巾木を備える壁面に隣接して設置する防水パンであって、当該防水パンの外周縁に当該巾木を被う突出部が設けられていることを特徴とする。
請求項２に係る発明は、防水パンの前記外周縁の突出部が壁面に接することを特徴とする。
請求項３に係る発明は、防水パンの前記外周縁の突出部が壁面に接し、かつ、外周縁の外壁部端部が巾木と接することを特徴とする。
請求項４に係る発明は、防水パンの前記外周縁の突出部が壁面に接し、外周縁の外壁部端部が巾木と接し、かつ、突出部の下面が巾木の上面と接することを特徴とする。
請求項５に係る発明は、  防水パンの前記外周縁の外壁部が垂直に立ち上がっていることを特徴とする。
請求項６に係る発明は、防水パンの前記突出部が外周縁の１辺に設けられていることを特徴とする。
請求項７に係る発明は、防水パンの前記突出部が外周縁の２辺に設けられていることを特徴とする。
請求項８に係る発明は、防水パンの前記突出部が外周縁の３辺に設けられていることを特徴とする。
【発明を実施するための形態】
【００１０】
以下、本発明を添付図面に基づいて説明する。
図1は、本発明の第１の実施形態に基づく防水パンを、その後方側（壁面に隣接して配置される外周縁側）からの見た斜視図である。
図１の防水パンは、防水パン本体１１の４周に外周縁１２を有する。本実施形態では、外周縁１２は、防水パン本体１１の正面および左右側面部では、外壁部１３、内壁部１４および上面部１５から構成されている。これらは、建物の間取りや洗濯機のサイズ等を考慮して、その設置空間に適した適宜のサイズとされる。
防水パン本体１１の後方（図では手前側）の外周縁１２は、内壁部１４および上面部１５から構成されており、上部に、巾木（図示せず）を被う突出部１６が設けられている。外周縁１２の当該部分の外壁部１３は割愛されている。
図１において、外周縁１２で形成される矩形の隅部には、その上面に洗濯機等を載置する載置台１７が設けられている。載置台１７は、載置する洗濯機のタイプ、サイズ等にあわせて適宜のサイズ・形状・高さとすることができる。
本実施形態では外周縁１２の上面部１５は一定の高さに構成されているが、排水口１８に設置される排水エルボや排水トラップの脱着の容易化や意匠性の向上などのため、非直線状（たとえば、湾曲した凹状）とすることもできる。外周縁１２の上面部１５は、載置台１７の上面より上方に突出することが望ましく、これにより、載置台１７の上面に水漏れした場合にも、防水パン外部への溢水を防止することができる。
本実施形態では、防水パン本体１１の正面左右の載置台１７の中間部の底面に、排水口１８が設けられている。排水口１８の位置は、設置床面上の排水口の位置等に応じて変更することができる。防水パン本体の底面は、排水口１８から排水可能なように傾斜している。
図１では、防水パン本体１１の後側外周縁の外壁部は割愛されており、その結果リブ１９が外部から看取される状態となっているが、この部分に外壁部１３（図示せず）を設けることも可能である。
【００１１】
図２は、第１実施形態の防水パン１１の側面図であり、１３は外周縁１２の外壁部、１５は外周縁１２の上面部、１６は突出部、１８は排水口を示す。
２０は、外壁部１３の巾木（図示せず）側の端部であり、本実施形態では垂直に立ち上がっている。
【００１２】
図３は、第１実施形態による防水パン１１を、巾木３を備える建物壁面２に隣接して設置した状態の説明図である。
同図のとおり、巾木３の上面は、本発明の防水パン１１の突出部１６に被われる。防水パン１１の外周の突出部１６は、壁面２と接することから、従来の防水パンのように埃溜まりが形成されることはなく、したがって、埃が蓄積することはない。
本実施形態では、防水パンの外壁部１３の端部２０は、垂直に立ち上がり、巾木３と間隙なく接している。
突出部１６の端部も、壁面２と間隙なく接するように構成されているが、その上面の端部には、意匠的観点等から小径のＲを形成されている。この場合、Ｒは十分に小さいので、実質的な埃溜まりは形成されない。
【００１３】
図４は、本発明の第２の実施形態に従う防水パンを示す。
本実施形態の防水パンは、建物の壁部（ひいては巾木）が直角に交わるコーナー部への設置に適している。
図４において、防水パン本体３１は、その４周に外周縁３２が形成されている。防水パン本体３１の、本図手前側の左右の外周縁３２は外壁部３３、上面部３４および内壁部（図示せず）から構成されている。
防水パン本体３１の本図後方側の左右外周縁３２は、内壁部３５および上面部３４から構成され、外壁部は割愛されている。そして、本図後方左右の外周縁３２にはその上部に、巾木（図示せず）を被う突出部３６が設けられている。
防水パン本体３１の底面には排水口３８が設けられている。防水パン本体３１の底面は、排水口３８から排水可能に、ゆるやかに傾斜している。
本実施形態では、洗濯機等を載置するための特別な載置台は、設けられていないが、想定される載置物に適する載置台を適宜設けておくこともできる。
【００１４】
図５は、第２実施形態の防水パン３１を、壁部２（ひいては巾木３）が直角に交わるコーナー部に設置した状態の説明図である。
本実施形態においても、巾木３は、防水パン３１の突出部３６に被われており、本図手前側の外壁部の端部３７と巾木３とは間隙を形成しない構成とされている。
【００１５】
図６は、本発明の第３の実施形態に従う防水パンを示す。
本実施形態の防水パンは、その３方が巾木を有する壁面で囲われた場所への設置に適している。
図６において、防水パン本体４１は、その４周に外周縁４２が形成されている。本実施形態の防水パンは、その３辺に突出部４３が設けられている点を除き、第１および第２の実施形態の防水パンと同様であるが、この場合、３方の外周縁４２の外周壁を割愛することができるので、防水パンの製造に要する樹脂量を、より節減することができる。これにより、防水パンの重量が軽減し、設置がより容易となる。
【００１６】
図７は、第３の実施形態の防水パン４１の側面図である。
図７において、４４は外周縁４２の外壁部、４５は外周縁４２の上面部、４３は突出部、４６は排水口を示す。
４７は、外壁部４４の端部であり、本実施形態では、巾木（図示せず）と接し、垂直に立ち上がっている。
【００１７】
図８は、本発明の第３実施形態の防水パンに適する設置場所の例を示すものである。本件発明の防水パンは、このような場所に設置した場合も、埃が蓄積することなく、快適に使用することができる。
【００１８】
本発明の防水パンの突出部のサイズは、巾木のサイズに応じて適宜変更することができる。突出部は、その垂直面と壁面とが接するのが望ましい。突出部の下面と巾木の上面も接することが望ましい。また、巾木の垂直面は、防水パンの外壁部の端部と接することが望ましい。
【００１９】
本発明の防水パンは、いずれの実施形態のものも、樹脂の一体成形により製造することができる。この場合、第１ないし第３の実施形態のそれぞれに専用のモールドを準備して成型することができる。
別法として、第１の実施形態の防水パンを一体成形により調製し、この成形製品の外周縁に、別途調製した突出部を適宜の手段で固着することにより、第２または第３の実施形態の防水パンとすることも可能である。同様に、一体成形した第２実施形態の防水パンを第３実施形態の防水パンとすることも可能である。
本発明の防水パンの製造には、高密度ポリエチレン、ポリプロピレン、硬質ポリ塩化ビニル、ポリアセタール、ＡＢＳ樹脂、ナイロンなど、適宜の樹脂を使用することができる。
【００２０】
本件発明に係る防水パンの外周縁には、給水ホースをとおすための切欠部や孔などが形成されていてもよい。
また、排水口の点検の容易化などのため、排水口に臨む側面の外周縁は、その中央部を凹状としたり、その一部を着脱可能としたりすることもできる。
【００２１】
本発明の防水パンの４隅に洗濯機等の載置台を設ける場合、当該設置台は想定される載置物に応じて適宜のサイズ・形状・高さ等とすることができる。たとえば、ドラム式洗濯機の載置を想定して、洗濯物の取り出しが容易となるよう、載置面の位置を高くすることもできる。
【００２２】
なお、上記実施形態は、例示であって制限的なものではない。
【００２３】
本発明は、次の効果を奏する。
本発明の防水パンは、防水パンの周縁部に突出部を設け、当該突出部が巾木を被うように構成されているので、防水パンと巾木や建物壁部の間に埃溜まりが形成されない。
また、本発明の防水パンは、特別な技能を要することなく設置することが可能であって、設置コストの低減を可能とする。
本発明の防水パンは、その周縁部の外壁部を割愛することができるので、重量が軽減される。重量の軽減により、設置が容易となり、製造コスト上も有利である。
さらに、本発明の防水パンは、住宅の内装壁面に直接隣接して設置することが可能であり、意匠的にも優れる。
【図面の簡単な説明】
【００２４】
【図１】本発明の第１の実施形態の防水パンの斜視図。
【図２】同上の防水パンの左側面図。
【図３】同上の防水パンを、巾木を有する壁面に設置した状態の説明図。
【図４】本発明の第２実施形態の防水パンの斜視図。
【図５】同上の防水パンを、巾木を有する壁面のコーナー部に設置した状態の説明図。
【図６】本発明の第３の実施形態の防水パンの斜視図。
【図７】同上の防水パンの正面図。
【図８】同上の防水パンの設置場所のイメージ図。
【図９】従来の防水パンを、巾木を有する壁面に設置した状態の説明図。
【符号の説明】
【００２５】
１    防水パン本体
２    壁面
３    巾木
１１  防水パン本体
１２  外周縁
１３  外周縁の外壁部
１４  外周縁の内壁部
１５  外周縁の上面部
１６  突出部
１７  載置台
１８  排水口
２０  外壁部の端部
３１  防水パン本体
３２  外周縁
３３  外周縁の外壁部
３４  外周縁の上面部
３５  外周縁の内壁部
３６  突出部
３７  外壁部の端部
３８  排水口
４１  防水パン本体
４２  外周縁
４３  突出部
【図１】
2015031110.tif 000003
【図２】
2015031110.tif 000004
【図３】
2015031110.tif 000005
【図４】
2015031110.tif 000006
【図５】
2015031110.tif 000007
【図６】
2015031110.tif 000008
【図７】
2015031110.tif 000009
【図８】
2015031110.tif 000010
【図９】
2015031110.tif 000011